(57)【要約】      （修正有）【課題】容器本体を急激に傾けたときにも、内容液が容器外に飛び散らないとともに、注出後に液だれした液を容器内に回収できるようにし、液の付着による汚れを少なくした内容液注出容器を提供すること。【解決手段】上部に計量キャップを装着し、容器を開閉する注出キャップを、容器本体の口筒部に取着した注出容器であって、注出キャップは、注出口部と、内筒壁と上壁、計量キャップと係合する上部外筒壁と、容器本体と係合する下部外筒壁とを具え、注出口部は、内筒壁の下端から連設される内方に傾斜する傾斜筒壁と傾斜底壁を具え、傾斜底壁中央部に上下方向に延びる注出口が穿設され、注出口の周縁から注出筒が立設され、傾斜底壁の最下部側には、注出口のほぼ中央に達するよう下方に傾斜する傾斜壁が設けられており、傾斜壁の両側縁には、注出筒の筒壁内面と面一となる側壁が設けられ、傾斜壁の内方端縁には、切欠部が設けられている。【選択図】図１
2008155953.tif 000002
【特許請求の範囲】
【請求項１】
上部に計量キャップを装着し、容器内を開閉する注出キャップを、容器本体の口筒部に取着した内容液注出容器であって、
注出キャップは、注出口部と、内筒壁と上壁、計量キャップと係合する上部外筒壁と、容器本体と係合する下部外筒壁とを具えており、
注出口部は、内筒壁の下端から連設される内方に傾斜する傾斜筒壁と、傾斜筒壁の下縁の最上部から最下部まで延びるように連設され、傾斜した傾斜底壁とを具え、
傾斜底壁の中央部には、上下方向に延びる注出口が穿設され、注出口の周縁から注出筒が立設されており、
傾斜底壁の最下部側には、注出口のほぼ中央に達するよう下方に傾斜する傾斜壁が設けられており、
傾斜壁の両側縁には、注出筒の筒壁内面と面一となる側壁が設けられ、傾斜壁の内方端縁には、切欠部が設けられていることを特徴とする内容液注出容器。
【請求項２】
内容液として、アニオン系界面活性剤・両性界面活性剤・ノニオン系界面活性剤・カチオン系界面活性剤が配合され、粘度が１mPa・s 〜４０００mPa・s である内容液を使用することを特徴とする請求項１記載の内容液注出装置。
【発明の詳細な説明】
【技術分野】
【０００１】
本発明は、内容液注出容器、とくに上部に計量キャップを装着した注出キャップを、容器本体の口筒部に装着した内容液注出容器に関するものである。
【背景技術】
【０００２】
容器本体の口筒部に、注出筒と液回収孔部を有する注出キャップを取着し、その上部に計量可能なキャップを装着し、内容液を詰替えて使用することができる液注出容器において、注出キャップの傾斜した底板に、所定の側面にスリットを設けた注出筒を立設し、底板に、詰替え時の液注入、使用時の液回収、空気置換用のスリットを、上記スリットに連設するように配設した液注出容器は、従来より知られており（例えば、特許文献１、２、３参照）、
【０００３】
さらに、上記構成の注出筒に付加して、注出筒のスリットの両側部に、液溢れ防止のためのリブを取着したものも知られている（例えば、特許文献４参照）。
【０００４】
また、前記注出キャップを取着した液注出容器において、液溢れを防止するため、注出筒を立設し、傾斜する底板の上部に注出孔を設け、底板の下部、注出筒の外側に液回収、空気置換用の孔、またはスリットを設けた液注出容器は、従来より知られている（例えば、特許文献５、６参照）。
【０００５】
さらに、前記注出キャップにおいて、注出筒の外側に液貯留部を設け、注出時に、容器本体内の液とともに注出するようにした液注出容器も知られている（例えば、特許文献７参照）。
【特許文献１】特開２００２−１９８１０号公報
【特許文献２】特開２０００−３０２１５５号公報
【特許文献３】特開２０００−６２８２７号公報
【特許文献４】特許第３４７９２６１号公報
【特許文献５】特開平９−７７１１１号公報
【特許文献６】特開平９−１８３４５２号公報
【特許文献７】特開平８−１３３３２５号公報
【発明の開示】
【発明が解決しようとする課題】
【０００６】
しかしながら、上記特許文献１〜３記載の従来技術では、内容液の注出時に、容器本体を急激に傾けると、注出筒の下端の流出路とともに、回収用のスリットからも内容液が流出し、内容液が、注出筒のスリットから溢れるという問題があり、さらには上端部から飛び出し、容器外に飛び散り、周辺を汚すというおそれもあった。
【０００７】
また、最近では、液注出容器の内容液として、液体洗剤、柔軟剤等は、ボトルとともに、詰替用パウチ等が用いられ、ボトル１に対して、詰替用パウチがほぼ８の割合で市販されており、内容液を何回も詰替えて使用するので、ボトルの使用期間が長くなっている。
そのため、詰替え時の液注入、使用時の液溢れ、液回収等によって、その度毎に付着した液によって注出キャップに汚れが蓄積されるという問題が生じるようになった。
【０００８】
上記特許文献４記載の液注出容器は、注出筒のスリットからの液溢れは防止されるが、液注出と回収の繰り返しにより、注出筒、注出キャップに付着した液による汚れまで防ぐことはできなかった。
【０００９】
上記特許文献５〜７記載の液注出容器は、注出筒の傾斜底壁に設けた注出孔、或いはスリットから内容液を注出するようにし、液の溢れ、飛散を防止することはできるが、液の回収が充分に行われず、液回収用の孔、スリットに液が止まり付着したり、或いは液貯留部に付着した液により、注出筒、注出キャップに汚れが蓄積されることを防ぐことができなかった。  
【００１０】
本発明は、上記問題を解決することを課題とし、注出キャップの傾斜底板の最下部に、注出口のほぼ中央まで下方に延びる傾斜壁を設けることによって、注出筒下端の注出口をほぼ半分まで遮蔽して、誤って容器本体を急激に傾けたときにも、内容液が勢いよく飛び出し、容器外に飛び散らないようにするとともに、内容液を注出した後に液だれした液を容器内にスムーズに回収できるようにし、液の付着による汚れを少なくした内容液注出容器を提供することを目的とする。
【課題を解決するための手段】
【００１１】
本発明は、上記の課題を解決するため、内容液注出容器として、上部に計量キャップを装着し、容器内を開閉する注出キャップを、容器本体の口筒部に取着した内容液注出容器であって、注出キャップは、注出口部と、内筒壁と上壁、計量キャップと係合する上部外筒壁と、容器本体と係合する下部外筒壁とを具えており、注出口部は、内筒壁の下端から連設される内方に傾斜する傾斜筒壁と、傾斜筒壁の下縁の最上部から最下部まで延びるように連設され、傾斜した傾斜底壁とを具え、傾斜底壁の中央部には、上下方向に延びる注出口が穿設され、注出口の周縁から注出筒が立設されており、傾斜底壁の最下部側には、注出口のほぼ中央に達するよう下方に傾斜する傾斜壁が設けられており、傾斜壁の両側縁には、注出筒の筒壁内面と面一となる側壁が設けられ、傾斜壁の内方端縁には、切欠部が設けられていることを特徴とする構成を採用する。
【００１２】
内容液として、アニオン系界面活性剤・両性界面活性剤・ノニオン系界面活性剤・カチオン系界面活性剤が配合され、粘度が１mPa・s 〜４０００mPa・s である内容液を使用することを特徴とする。
【発明の効果】
【００１３】
注出キャップの注出口部に、内筒壁の下端から連設される内方に傾斜する傾斜筒壁と、傾斜筒壁の最上部から最下部まで延びるように連設される傾斜した傾斜底壁とを具え、傾斜底壁の最下部側に、注出口のほぼ中央まで下方に傾斜する傾斜壁が設けられていることによって、内容液を計量キャップに注ぐ際、容器本体を急激に傾けたとしても、傾斜壁によって流路が遮蔽されるので、注出筒のスリットより内容液が溢れたり、内容液が勢いよく飛び出し、容器外に飛び散ることを防止することができるようになった。
【００１４】
また、傾斜底壁の最下部から下方に延びる傾斜壁により、液だれした液を容器内にスムーズに回収することができるようになった。
そのため、内容液の注入、吐出、回収の繰り返しにより、注出キャップに付着した液による汚れを少なくすることができる。
【発明を実施するための最良の形態】
【００１５】
次に、本発明のキャップの実施形態について、図面を参照して説明する。
図１において、Ａは内容液を収納した容器本体、Ｂは容器本体Ａの口筒部に装着する注出キャップ、Ｃは注出キャップＢの上部に装着される計量キャップである。
容器本体Ａは、口筒部１と肩部２、胴部と底部とからなり、口筒部１の外周には、注出キャップＢと係合する係合部３が設けられている。
【００１６】
注出キャップＢは、図１、２、３に示すように、注出口部５と、注出口部５の上端に連設する内筒壁６と、内筒壁６の外周上端に連設するリング状の上壁７と、上壁７上面に立設される上部外筒壁８と、上壁７の外周縁に垂設される下部外筒壁９とからなっている。
【００１７】
上部外筒壁８の外周には、計量キャップＣと係合するねじ１０が設けられており、下部外筒壁９の内周には、容器本体Ａの口筒部１の係合部３と係合する係合部１１が設けられている。
また、外筒壁９内周、容器本体Ａの口筒部１の一定位置には、相互に係合する位置合わせ部材が配設されている。
【００１８】
注出口部５は、内筒壁６の下端から連設され、内方に傾斜する傾斜筒壁１５と、傾斜筒壁１５の下縁に連設され、傾斜筒壁１５の最上部１５ａから他方の最下部１５ｂまで延びるように傾斜した傾斜底壁１６とを具えている。
【００１９】
傾斜底壁１６の中央には、上下方向に延びる長孔状の注出口１７が穿設され、注出口１７の周縁から上方に突出した注出筒１８が立設されている。
注出筒１８は、最上部１５ａ側からほぼ容器中央部の間に形成された半円状の注出部１９と、注出部１９の両側端縁から最下部１５ｂ側に向かって延びる側壁部２０とから形成されている。
【００２０】
傾斜底壁１６の最下部１５ｂ側には、最下部１５ｂから注出口１７内のほぼ中央付近まで下方に傾斜する傾斜壁２１が連設され、傾斜壁２１の両側縁には、注出筒１８の側壁部２０の内面と面一となる側壁２２が形成されている。
傾斜壁２１の内方の端縁には、コの字状の切欠部２３が設けられている。
また、コの字部分のコーナーは、液の巻き込みによる発泡防止のため、面取り・Ｒ取りしてもかまわない。
また、コの字状の切欠部２３の大きさは、液性に合わせて設定される。
【００２１】
計量キャップＣは、図１、４に示すように、注出キャップＢの上部に装着されるキャップ本体Ｃ１と、キャップ本体Ｃ１の上部に装着される計量部Ｃ２とからなっている。
計量キャップＣは、透明または半透明の合成樹脂で形成すると、容器外から計量キャップＣ内を視認して計量することができる。
【００２２】
キャップ本体Ｃ１は、内筒壁２５と、内筒壁２５の外周に連設されるリング状の上壁２６と、上壁２６の下面外周縁に垂設された外筒壁２７と、上壁２６の上面に立設された係合筒２８と、内筒壁２５の内周から内周下方に向かって連設された液戻し筒部２９とを具えている。
【００２３】
外筒壁２７の内周には、注出キャップＢの上部外筒壁８外周のねじ１０に係合するねじ３０が設けられており、外筒壁２７の外周には、ローレットなどの滑り止めが設けられている。
係合筒２８の外周には、計量部Ｃ２と係合する係合部３１が設けられている。
【００２４】
液戻し筒部２９は、計量キャップＣの使用時には、下端部が計量キャップＣ内の内容液の流出口３２となり、キャップ閉蓋時には、下端部外周が注出キャップＢの内筒壁６の内周面に摺接するようになっている。
【００２５】
計量部Ｃ２は、頂壁３５と、頂壁３５外周縁に垂設され、キャップ本体Ｃ１の内筒壁２５の上部外周に内周が係合する筒壁３６と、筒壁３６の外周に連設された環状壁３７と、環状壁３７の外周縁に垂設され、内周がキャップ本体Ｃ１の係合筒２８と係合する外筒壁３８とを具えている。
外筒壁３８の内周には、キャップ本体Ｃ１の係合筒２８の係合部３１と係合する係合部３９が設けられている。
【００２６】
次に、本発明の内容液注出容器の使用態様と作用効果について説明する。
本注出容器には、内容液として、液体衣料用洗剤、液体柔軟剤、液体石鹸等が使用され、粘度は、１mPa・s 〜４０００mPa・s のものである。
なお、表の記載中、粘度の数値に巾があるのは、粘度が温度に依存するためであり、温度範囲は、５°Ｃ〜３０°Ｃとした。
【００２７】
【表１】
2008155953.tif 000003
【００２８】
【表２】
2008155953.tif 000004
【００２９】
【表３】
2008155953.tif 000005
【表３−１】
2008155953.tif 000006
【表３−２】
2008155953.tif 000007
【００３０】
内容液注出容器の組立について説明すると、まず、キャップ本体Ｃ１の上部に計量部Ｃ２を装着し、計量キャップＣを形成する。
次いで、計量キャップＣを注出キャップＢに螺着し、該注出キャップＢを内容液を充填した容器本体Ａの口筒部１に装着すると、容器内を閉蓋した内容液注出容器が組立てられる。
【００３１】
本発明の容器の使用にあたっては、計量キャップＣのキャップ本体Ｃ１の外筒壁２７外周を把持し、注出キャップＢに対して開蓋方向に回転させ、計量キャップＣを注出キャップＢから取外して開蓋する。
【００３２】
図５に示すように、計量キャップＣを倒立させ、容器本体Ａを注出キャップＢの注出筒１８の注出部１９が下に向くように傾ける。
容器本体Ａを傾けることによって、容器本体Ａ内の内容液を、注出キャップＢの注出口１７から注出部１９内周を伝わせて、計量キャップＣのキャップ本体Ｃ１の液戻し筒部２９の流出口３２から計量キャップＣ内に注出することができる。
【００３３】
内容液を計量キャップＣ内に、必要量注いだ後、計量キャップＣを傾けて、所望する場所に、液戻し筒部２９の流出口３２から計量キャップＣ内の計量された内容液を流出させ、使用することができる。
【００３４】
計量部Ｃ２が、透明または半透明な合成樹脂で形成されていること、計量部Ｃ２に目盛りをつけることで、計量キャップＣ内に収納する内容液を計量キャップＣ外から視認して計量することができる。
【００３５】
また、本発明の計量キャップＣは、計量部Ｃ２の筒壁３６の高さ、または形状により、計量キャップＣ内に収容する内容液の量を決めることができるので、計量キャップＣの計量部Ｃ２をキャップ本体Ｃ１から外し、別に用意した高さ、または形状が異なる筒壁３６を有する計量部Ｃ２をキャップ本体Ｃ１に装着しなおせば、計量キャップＣ内に収納できる内容液の量を変更することができる。
【００３６】
本発明の注出キャップＢの注出口部５の傾斜底壁１６の下方に、端縁にコ字状の切欠部２３を設けた傾斜壁２１、および側壁２２が形成されており、注出口１７の開口の広さを小さくしている。
そのため、内容液を計量キャップＣに注ぐ際に、容器本体Ａを急激に傾けることにより、容器本体Ａ内の内容液が注出口１７に集中したとしても、傾斜壁２１と側壁２２が注出口１７に対して遮蔽壁となり、余剰な内容液が流れることが阻止される。
【００３７】
したがって、内容液が、注出筒１８の注出部１９、及び側壁部２０から飛び出し、容器外に飛び散ることを防止することができる。
また、傾斜壁２１に切欠部２３が設けられているので、注出した内容液の代わりに空気を容器内に導入することができ、内容液の注出が途中で途切れることを防止している。
【００３８】
計量キャップＣ内の内容液を注出した後、計量キャップＣの液戻し筒部２９が注出キャップＢの内筒壁６内に載置されるように、計量キャップＣを傾けながら正立して注出キャップＢに装着し、容器を閉蓋する。
その際、計量キャップＣ内に残った液が、液戻し筒部２９内周から注出キャップＢの内筒壁６内周に伝わり、注出口部５に落ちる。
【００３９】
そして、注出口部５では、注出筒１８上端から液だれし、外周に残った液とともに、内容液が、傾斜筒壁１５内周面および傾斜底壁１６の上面の傾斜により最下部１５ｂに集められ、傾斜壁２１の上面を伝わって傾斜壁２１の下端部から容器本体Ａ内に落ちていく。
液の回収がスムースに行われるので、内容液が注出筒、注出キャップＢ内に付着することが少なくなり、液汚れを少なくすることができる。
【００４０】
また、容器内の内容液を使い終わったら、注出キャップＢの内筒壁６内に新しい内容液を注ぐと、注出口部５から内容液を容器本体Ａ内に簡単に充填させることができる。
【００４１】
本発明の注出キャップＢの注出口部５は、注出口１７内方に向かい、最下部１５ｂよりさらに下方に傾斜する傾斜壁２１を設けたことにより、内容液が最下部１５ｂ付近で溜まることを防止し、容易に容器本体内に戻すことができる。
【００４２】
次に、本発明の効果について、比較例と対比して説明する。
比較例として、現在、一般に使用されており、前記特許文献１、４に記載されている注出キャップを用いて試験した。
比較例１  特開２００２−１９８１０号公報
比較例２  特許第３４７９２６１号公報
【００４３】
試験は、粘度１５ｃＰの柔軟剤、粘度１１０ｃＰの液体ヘビー洗剤について行い、注出筒の方向を液注出方向と４５度前後の角度に急激に傾け注出した場合と、さらに付加して、注出筒を４５度手前に回転した状態で急激に注出した場合に分け、注出筒のスリットから液があふれるか否かを試験した。
その結果を、注出筒のスリットから液があふれた場合を  ×
注出筒のスリットから液があふれた場合を  ○
として評価した。
【００４４】
試験結果は、表４に示すとおりであった。
【表４】
2008155953.tif 000008
【００４５】
試験結果からわかることは、本願発明の場合は、いずれの場合にも良好な結果を得ることができた。
比較例１では粘度１５ｃＰの柔軟剤、比較例２では、粘度１５ｃＰの柔軟剤、粘度１１０ｃＰの液体ヘビー洗剤とを注出筒を回転させずに注出方向に急激に注出したときには、良好な結果を得た。
【産業上の利用可能性】
【００４６】
本発明の容器は、内容液の注出するため容器本体を急に傾けても、容器外に液が飛び散ることがなく、しかも、注出口付近に液が溜まることがないので、内容液を最後まで安全に使用することができる。
したがって、本発明のキャップは、液体洗剤、柔軟剤、薬品、その他の計量を必要とする液体の注出容器の計量キャップとして、広く利用することができる。
【図面の簡単な説明】
【００４７】
【図１】本発明の容器の断面立面図である。
【図２】注出キャップの断面立面図である。
【図３】注出キャップの（ａ）は上面図、（ｂ）は注出筒部分の斜視図である。
【図４】計量キャップの断面立面図である。
【図５】本発明の容器の使用時の説明図である。
【符号の説明】
【００４８】
Ａ            容器本体
Ｂ            注出キャップ
Ｃ            計量キャップ
Ｃ１          キャップ本体
Ｃ２          計量部
１            口筒部
２            肩部
３、１１      係合部
５            注出口部
６、２５      内筒壁
７、２６      上壁
８            上部外筒部
９            下部外筒部
１０、３０    ねじ
１５          傾斜筒壁
１５ａ        最上部
１５ｂ        最下部
１６          傾斜底壁
１７          注出口
１８          注出筒
１９          注出部
２０          側壁部
２１          傾斜壁
２２          側壁
２３          切欠部
２７、３８    外筒壁
２８          係合筒
２９          液戻し筒部
３１、３９    係合部
３２          流出口
３５          頂壁
３６          筒壁
３７          環状壁
【図１】
2008155953.tif 000009
【図２】
2008155953.tif 000010
【図３】
2008155953.tif 000011
【図４】
2008155953.tif 000012
【図５】
2008155953.tif 000013